【手続補正書】
【提出日】平成16年3月12日(2004.3.12)
【手続補正１】
【補正対象書類名】明細書
【補正対象項目名】特許請求の範囲
【補正方法】変更
【補正の内容】
【特許請求の範囲】
【請求項１】
導電性支持体上に感光層を有する電子写真感光体、及び該電子写真感光体に接触配置され、直流電圧に交流電圧を重畳した電圧を印加されることにより該電子写真感光体を帯電する帯電部材を有する帯電手段を一体に支持し、電子写真装置本体に着脱自在であるプロセスカートリッジにおいて、
該電子写真感光体の表面層が、フッ素含有樹脂粒子と、下記（ｉ）及び（ｉｉ）から選ばれる少なくとも一方の樹脂と、を含有することを特徴とするプロセスカートリッジ：
（ｉ）７．５×１０3〜３．７×１０4の重量平均分子量を有し、下記式（１）で示される構成単位を有するポリアリレート樹脂、
（ｉｉ）７．５×１０3〜３．７×１０4の重量平均分子量を有し、下記式（２）で示される構成単位を有するポリカーボネート樹脂：
【化１】
2000019765.tif 000001
｛式中、Ｘ1は−ＣＲ13Ｒ14−（Ｒ13及びＲ14は同一又は異なって、水素原子、トリフルオロメチル基、置換もしくは無置換のアルキル基又は置換もしくは無置換のアリール基である）、置換もしくは無置換のシクロアルキリデン基、置換もしくは無置換のα，ω−アルキレン基、単結合、−Ｏ−、−Ｓ−、−ＳＯ−又は−ＳＯ2−であり、Ｒ1〜Ｒ12は同一又は異なって、水素原子、ハロゲン原子、置換もしくは無置換のアルキル基又は置換もしくは無置換のアリール基である｝
【化２】
2000019765.tif 000002
｛式中、Ｘ2は−ＣＲ29Ｒ30−（Ｒ29及びＲ30は同一又は異なって、水素原子、トリフルオロメチル基、置換もしくは無置換のアルキル基又は置換もしくは無置換のアリール基である）、置換もしくは無置換のシクロアルキリデン基、置換もしくは無置換のα，ω−アルキレン基、単結合、−Ｏ−、−Ｓ−、−ＳＯ−又は−ＳＯ2−であり、Ｒ21〜Ｒ28は同一又は異なって、水素原子、ハロゲン原子、置換もしくは無置換のアルキル基又は置換もしくは無置換のアリール基である｝。
【請求項２】
電子写真感光体の表面層が、前記（ｉ）の樹脂と、３．７×１０4を超える重量平均分子量を有するポリアリレート樹脂と、を含有する請求項１に記載のプロセスカートリッジ。
【請求項３】
前記（ｉ）の樹脂の分散度が、３．０以下である請求項１又は２に記載のプロセスカートリッジ。
【請求項４】
電子写真感光体の表面層が、前記（ｉｉ）の樹脂と、３．７×１０4を超える重量平均分子量を有するポリカーボネート樹脂と、を含有する請求項１に記載のプロセスカートリッジ。
【請求項５】
前記（ｉｉ）の樹脂の分散度が、３．０以下である請求項１又は４に記載のプロセスカートリッジ。
【請求項６】
前記フッ素含有樹脂粒子が、４フッ化エチレン樹脂、３フッ化エチレン樹脂、６フッ化プロピレン樹脂、フッ化ビニル樹脂、フッ化ビニリデン樹脂、２フッ化２塩化エチレン樹脂及びこれらの共重合体から選ばれる請求項１〜５のいずれかに記載のプロセスカートリッジ。
【請求項７】
電子写真感光体の表面層が、更にフッ素含有くし型グラフトポリマーを含有する請求項１〜６のいずれかに記載のプロセスカートリッジ。
【請求項８】
電子写真感光体の表面層が、更に酸化防止剤を含有する請求項１〜７のいずれかに記載のプロセスカートリッジ。
【請求項９】
前記酸化防止剤がヒンダードフェノール系酸化防止剤及びリン系酸化防止剤の少なくとも一方である請求項８に記載のプロセスカートリッジ。
【請求項１０】
導電性支持体上に感光層を有する電子写真感光体、該電子写真感光体に接触配置され、直流電圧に交流電圧を重畳した電圧を印加されることにより該電子写真感光体を帯電する帯電部材を有する帯電手段、帯電された電子写真感光体を露光することにより静電潜像を形成する露光手段、形成された静電潜像をトナーによって現像することによりトナー像を形成する現像手段、及び形成されたトナー像を転写材に転写する転写手段を有する電子写真装置において、
該電子写真感光体の表面層が、フッ素含有樹脂粒子と、下記（ｉ）及び（ｉｉ）から選ばれる少なくとも一方の樹脂と、を含有していることを特徴とする電子写真装置：
（ｉ）７．５×１０3〜３．７×１０4の重量平均分子量を有し、下記式（１）で示される構成単位を有するポリアリレート樹脂、
（ｉｉ）７．５×１０3〜３．７×１０4の重量平均分子量を有し、下記式（２）で示される構成単位を有するポリカーボネート樹脂：
【化３】
2000019765.tif 000003
｛式中、Ｘ1は−ＣＲ13Ｒ14−（Ｒ13及びＲ14は同一又は異なって、水素原子、トリフルオロメチル基、置換もしくは無置換のアルキル基又は置換もしくは無置換のアリール基である）、置換もしくは無置換のシクロアルキリデン基、置換もしくは無置換のα，ω−アルキレン基、単結合、−Ｏ−、−Ｓ−、−ＳＯ−又は−ＳＯ2−であり、Ｒ1〜Ｒ12は同一又は異なって、水素原子、ハロゲン原子、置換もしくは無置換のアルキル基又は置換もしくは無置換のアリール基である｝
【化４】
2000019765.tif 000004
｛式中、Ｘ2は−ＣＲ29Ｒ30−（Ｒ29及びＲ30は同一又は異なって、水素原子、トリフルオロメチル基、置換もしくは無置換のアルキル基又は置換もしくは無置換のアリール基である）、置換もしくは無置換のシクロアルキリデン基、置換もしくは無置換のα，ω−アルキレン基、単結合、−Ｏ−、−Ｓ−、−ＳＯ−又は−ＳＯ2−であり、Ｒ21〜Ｒ28は同一又は異なって、水素原子、ハロゲン原子、置換もしくは無置換のアルキル基又は置換もしくは無置換のアリール基である｝。
【請求項１１】
電子写真感光体の表面層が、前記（ｉ）の樹脂と、３．７×１０4を超える重量平均分子量を有するポリアリレート樹脂と、を含有する請求項１０に記載の電子写真装置。
【請求項１２】
前記（ｉ）の樹脂の分散度が、３．０以下である請求項１０又は１１に記載の電子写真装置。
【請求項１３】
電子写真感光体の表面層が、前記（ｉｉ）の樹脂と、３．７×１０4を超える重量平均分子量を有するポリカーボネート樹脂と、を含有する請求項１０に記載の電子写真装置。
【請求項１４】
前記（ｉｉ）の樹脂の分散度が、３．０以下である請求項１０又は１３に記載の電子写真装置。
【請求項１５】
前記フッ素含有樹脂粒子が、４フッ化エチレン樹脂、３フッ化エチレン樹脂、６フッ化プロピレン樹脂、フッ化ビニル樹脂、フッ化ビニリデン樹脂、２フッ化２塩化エチレン樹脂及びこれらの共重合体から選ばれる請求項１０〜１４のいずれかに記載の電子写真装置。
【請求項１６】
電子写真感光体の表面層が、更にフッ素含有くし型グラフトポリマーを含有する請求項１０〜１５のいずれかに記載の電子写真装置。
【請求項１７】
電子写真感光体の表面層が、更に酸化防止剤を含有する請求項１０〜１６のいずれかに記載の電子写真装置。
【請求項１８】
前記酸化防止剤がヒンダードフェノール系酸化防止剤及びリン系酸化防止剤の少なくとも一方である請求項１７に記載の電子写真装置。
【手続補正２】
【補正対象書類名】明細書
【補正対象項目名】００１１
【補正方法】変更
【補正の内容】
【００１１】
【課題を解決するための手段】
本発明に従って、導電性支持体上に感光層を有する電子写真感光体、及び電子写真感光体に接触配置され、直流電圧に交流電圧を重畳した電圧を印加されることにより電子写真感光体を帯電する帯電部材を有する帯電手段を一体に支持し、電子写真装置本体に着脱自在であるプロセスカートリッジにおいて、
電子写真感光体の表面層が、フッ素含有樹脂粒子と、下記（ｉ）及び（ｉｉ）から選ばれる少なくとも一方の樹脂と、を含有することを特徴とするプロセスカートリッジが提供される：
（ｉ）７．５×１０3〜３．７×１０4の重量平均分子量を有し、下記式（１）で示される構成単位を有するポリアリレート樹脂、
（ｉｉ）７．５×１０3〜３．７×１０4の重量平均分子量を有し、下記式（２）で示される構成単位を有するポリカーボネート樹脂。
【手続補正３】
【補正対象書類名】明細書
【補正対象項目名】００１６
【補正方法】変更
【補正の内容】
【００１６】
また、本発明に従って、導電性支持体上に感光層を有する電子写真感光体、該電子写真感光体に接触配置され、直流電圧に交流電圧を重畳した電圧を印加されることにより該電子写真感光体を帯電する帯電部材を有する帯電手段、帯電された電子写真感光体を露光することにより静電潜像を形成する露光手段、形成された静電潜像をトナーによって現像することによりトナー像を形成する現像手段、及び形成されたトナー像を転写材に転写する転写手段を有する電子写真装置において、
該電子写真感光体の表面層が、フッ素含有樹脂粒子と、下記（ｉ）及び（ｉｉ）から選ばれる少なくとも一方の樹脂と、を含有していることを特徴とする電子写真装置が提供される：
（ｉ）７．５×１０3〜３．７×１０4の重量平均分子量を有し、上記式（１）で示される構成単位を有するポリアリレート樹脂、
（ｉｉ）７．５×１０3〜３．７×１０4の重量平均分子量を有し、上記式（２）で示される構成単位を有するポリカーボネート樹脂。